【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、または、前記第１のデータタイプまたは前記第２のデータタイプの追加のデータを、または、前記第１のデータタイプまたは前記第２のデータタイプの追加のデータの識別に基づいてバッファステータスレポート（ＢＳＲ）を、送信することと、
前記第１のデータタイプの前記識別されたデータと、前記第１のデータタイプまたは前記第２のデータタイプの追加のデータに対応するバッファステータスレポートとを優先順位付けすること、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される
を備える、方法。
【請求項２】
前記スケジューリング要求を送信することは、
前記第２のデータタイプの制御チャネルに関連付けられたＴＴＩを使用して、前記スケジューリング要求を送信すること
を備える、請求項１に記載の方法。
【請求項３】
前記スケジューリング要求は、前記第１のデータタイプに関連付けられた短縮されたＴＴＩ（ｓＴＴＩ）を示す、請求項２に記載の方法。
【請求項４】
前記制御チャネルは、物理アップリンク制御チャネル（ＰＵＣＣＨ）を備える、請求項２に記載の方法。
【請求項５】
前記スケジューリング要求を送信することは、
短縮されたＴＴＩ（ｓＴＴＩ）上の制御チャネルを使用して、前記スケジューリング要求を送信すること
を備える、請求項１に記載の方法。
【請求項６】
前記制御チャネルは、短縮された物理アップリンク制御チャネル（ｓＰＵＣＣＨ）を備える、
請求項５に記載の方法。
【請求項７】
前記第１のデータタイプの前記識別されたデータに対応するデータサイズを決定すること、ここにおいて、前記スケジューリング要求は、前記決定されたデータサイズとバッファ閾値との間の比較に少なくとも部分的に基づく、
をさらに備える、請求項１に記載の方法。
【請求項８】
基地局から、前記基地局によって構成された前記バッファ閾値のインジケーションを受信すること
をさらに備える、請求項７に記載の方法。
【請求項９】
前記第１のデータタイプの前記識別されたデータに対応するデータサイズを決定すること、ここにおいて、前記第１のデータタイプの前記識別されたデータ、または前記ＢＳＲ、または両方を送信することは、前記決定されたデータサイズとアップリンク許可サイズとの間の比較に少なくとも部分的に基づく、
をさらに備える、請求項１に記載の方法。
【請求項１０】
前記アップリンク許可によって示されたリソースの前記セットを使用して、前記第１のデータタイプまたは前記第２のデータタイプの追加のデータの識別に少なくとも部分的に基づいてバッファステータスレポートを送信すること
をさらに備える、請求項１に記載の方法。
【請求項１１】
基地局から、前記第１のデータタイプ、前記第２のデータタイプ、または両方の通信のために構成された少なくとも１つの無線ベアラを示す無線ベアラ構成を受信すること
をさらに備える、請求項１に記載の方法。
【請求項１２】
前記第１のデータタイプに関連付けられた前記リソースは、短縮された物理アップリンク共有チャネル（ｓＰＵＳＣＨ）リソースを備える、または、
前記第１のデータタイプに関連付けられた前記リソースは、短縮された物理アップリンク制御チャネル（ｓＰＵＣＣＨ）リソースを備える、
請求項１に記載の方法。
【請求項１３】
システムにおけるワイヤレス通信のための装置であって、
第１のデータタイプのデータを識別するための手段と、
前記第１のデータタイプに関連付けられたリソースの許可のためのスケジューリング要求を送信するための手段と、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信するための手段と、
前記アップリンク許可によって示されたリソースの前記セットを使用して、前記第１のデータタイプの前記識別されたデータ、または、前記第１のデータタイプまたは前記第２のデータタイプの追加のデータを、または、前記第１のデータタイプまたは前記第２のデータタイプの追加のデータの識別に基づいてバッファステータスレポート（ＢＳＲ）を、送信するための手段と、
前記第１のデータタイプの前記識別されたデータと、前記第１のデータタイプまたは前記第２のデータタイプの追加のデータに対応するバッファステータスレポートとを優先順位付けすること、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される
を備える、装置。
【請求項１４】
ワイヤレス通信のためのコードを記憶する非一時的コンピュータ可読媒体であって、前記コードは、
請求項１−１２の何れかに従った前記方法を実施する
ようにプロセッサによって実行可能な命令を備える、非一時的コンピュータ可読媒体。
【手続補正２】
【補正対象書類名】明細書
【補正対象項目名】０１５９
【補正方法】変更
【補正の内容】
【０１５９】
[0167]  本明細書における説明は、当業者が本開示を製造または使用することを可能にするために提供される。本開示への様々な修正は当業者には容易に明らかであり、本明細書で定義した一般原理は、本開示から逸脱することなく他の変形に適用できる。よって、本開示は、本明細書に説明される例および設計に制限されるものではなく、本明細書に開示された原理および新規な特徴に合致する最も広い範囲が与えられるべきものである。 
以下に本願の出願当初の特許請求の範囲に記載された発明を付記する。
［Ｃ１］
ワイヤレス通信のための方法であって、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を備える、方法。
［Ｃ２］
前記スケジューリング要求を送信することは、
前記第２のデータタイプの制御チャネルに関連付けられたＴＴＩを使用して、前記スケジューリング要求を送信すること
を備える、Ｃ１に記載の方法。
［Ｃ３］
前記スケジューリング要求は、前記第１のデータタイプに関連付けられた短縮されたＴＴＩ（ｓＴＴＩ）を示す、Ｃ２に記載の方法。
［Ｃ４］
前記制御チャネルは、物理アップリンク制御チャネル（ＰＵＣＣＨ）を備える、Ｃ２に記載の方法。
［Ｃ５］
前記スケジューリング要求を送信することは、
短縮されたＴＴＩ（ｓＴＴＩ）上の制御チャネルを使用して、前記スケジューリング要求を送信すること
を備える、Ｃ１に記載の方法。
［Ｃ６］
前記制御チャネルは、短縮された物理アップリンク制御チャネル（ｓＰＵＣＣＨ）を備える、
Ｃ５に記載の方法。
［Ｃ７］
前記第１のデータタイプの前記識別されたデータに対応するデータサイズを決定すること、ここにおいて、前記スケジューリング要求は、前記決定されたデータサイズとバッファ閾値との間の比較に少なくとも部分的に基づく、
をさらに備える、Ｃ１に記載の方法。
［Ｃ８］
基地局から、前記基地局によって構成された前記バッファ閾値のインジケーションを受信すること
をさらに備える、Ｃ７に記載の方法。
［Ｃ９］
前記第１のデータタイプの前記識別されたデータに対応するデータサイズを決定すること、ここにおいて、前記第１のデータタイプの前記識別されたデータ、または前記ＢＳＲ、または両方を送信することは、前記決定されたデータサイズとアップリンク許可サイズとの間の比較に少なくとも部分的に基づく、
をさらに備える、Ｃ１に記載の方法。
［Ｃ１０］
前記アップリンク許可によって示されたリソースの前記セットを使用して、前記第１のデータタイプまたは前記第２のデータタイプの追加のデータの識別に少なくとも部分的に基づいてバッファステータスレポートを送信すること
をさらに備える、Ｃ１に記載の方法。
［Ｃ１１］
前記アップリンク許可によって示されたリソースの前記セットを使用して、前記第１のデータタイプまたは前記第２のデータタイプの追加のデータを送信すること
をさらに備える、Ｃ１に記載の方法。
［Ｃ１２］
前記第１のデータタイプの前記識別されたデータと、前記第１のデータタイプまたは前記第２のデータタイプの追加のデータに対応するバッファステータスレポートとを優先順位付けすること、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される、
をさらに備える、Ｃ１１に記載の方法。
［Ｃ１３］
基地局から、前記第１のデータタイプ、前記第２のデータタイプ、または両方の通信のために構成された少なくとも１つの無線ベアラを示す無線ベアラ構成を受信すること
をさらに備える、Ｃ１に記載の方法。
［Ｃ１４］
前記第１のデータタイプに関連付けられた前記リソースは、短縮された物理アップリンク共有チャネル（ｓＰＵＳＣＨ）リソースを備える、
Ｃ１に記載の方法。
［Ｃ１５］
前記第１のデータタイプに関連付けられた前記リソースは、短縮された物理アップリンク制御チャネル（ｓＰＵＣＣＨ）リソースを備える、
Ｃ１に記載の方法。
［Ｃ１６］
前記第１のデータタイプに関連付けられた前記リソースと、前記第２のデータタイプに関連付けられリソースとは、異なるニューメロロジに関連付けられる、
Ｃ１に記載の方法。
［Ｃ１７］
前記第１のデータタイプは、低レイテンシ通信に関連付けられる、
Ｃ１に記載の方法。
［Ｃ１８］
ワイヤレス通信のための方法であって、
ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を備える、方法。
［Ｃ１９］
前記ＵＥから、リソースの前記決定されたセットを介して前記第１のデータタイプのデータを受信すること
をさらに備える、Ｃ１８に記載の方法。
［Ｃ２０］
リソースの前記決定されたセットを介して、前記第１のデータタイプまたは前記第２のデータタイプの追加のデータのためのバッファステータスレポートを受信すること
をさらに備える、Ｃ１９に記載の方法。
［Ｃ２１］
前記スケジューリング要求を受信することは、
前記第２のデータタイプの制御チャネルに関連付けられたＴＴＩを介して、前記スケジューリング要求を受信すること
を備える、Ｃ１８に記載の方法。
［Ｃ２２］
前記スケジューリング要求は、前記第１のデータタイプに関連付けられた短縮されたＴＴＩ（ｓＴＴＩ）を示す、
Ｃ２１に記載の方法。
［Ｃ２３］
前記制御チャネルは、物理アップリンク制御チャネル（ＰＵＣＣＨ）を備える、
Ｃ２１に記載の方法。
［Ｃ２４］
前記スケジューリング要求を受信することは、
短縮されたＴＴＩ（ｓＴＴＩ）上の制御チャネルを介して、前記スケジューリング要求を受信すること
を備える、Ｃ１８に記載の方法。
［Ｃ２５］
前記制御チャネルは、短縮された物理アップリンク制御チャネル（ｓＰＵＣＣＨ）を備える、
Ｃ２４に記載の方法。
［Ｃ２６］
前記ＵＥと基地局との両方に知られているバッファ閾値に少なくとも部分的に基づいて、アップリンク許可サイズを決定すること、ここにおいて、前記アップリンク許可は、前記アップリンク許可サイズを示す、
をさらに備える、Ｃ１８に記載の方法。
［Ｃ２７］
前記アップリンク許可サイズは、前記アップリンク許可に含まれるビット数を示す、  Ｃ２６に記載の方法。
［Ｃ２８］
前記ＵＥに、バッファ閾値のインジケーションを送信すること、ここにおいて、前記スケジューリング要求は、前記バッファ閾値に少なくとも部分的に基づく、
をさらに備える、Ｃ１８に記載の方法。
［Ｃ２９］
前記ＵＥに、前記第１のデータタイプ、前記第２のデータタイプ、または両方の通信のために構成された少なくとも１つの無線ベアラを示す無線ベアラ構成を送信すること
をさらに備える、Ｃ１８に記載の方法。
［Ｃ３０］
リソースの前記決定されたセットは、短縮された物理アップリンク共有チャネル（ｓＰＵＳＣＨ）リソースを備える、
Ｃ１８に記載の方法。
［Ｃ３１］
リソースの前記決定されたセットは、短縮された物理アップリンク制御チャネル（ｓＰＵＣＣＨ）リソースを備える、
Ｃ１８に記載の方法。
［Ｃ３２］
前記第１のデータタイプに関連付けられた前記リソースと、前記第２のデータタイプに関連付けられリソースとは、異なるニューメロロジに関連付けられる、
Ｃ１８に記載の方法。
［Ｃ３３］
前記第１のデータタイプは、低レイテンシ通信に関連付けられる、Ｃ１８に記載の方法。
［Ｃ３４］
ワイヤレス通信のための装置であって、
プロセッサと、
前記プロセッサと電子通信するメモリと、
前記メモリに記憶されており、前記プロセッサによって実行されると、前記装置に、    第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を行わせるように動作可能な命令と
を備える、装置。
［Ｃ３５］
ワイヤレス通信のための装置であって、
プロセッサと、
前記プロセッサと電子通信するメモリと、
前記メモリに記憶されており、前記プロセッサによって実行されると、前記装置に、    ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を行わせるように動作可能な命令と
を備える、装置。
［Ｃ３６］
システムにおけるワイヤレス通信のための装置であって、
第１のデータタイプのデータを識別するための手段と、
前記第１のデータタイプに関連付けられたリソースの許可のためのスケジューリング要求を送信するための手段と、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信するための手段と、
前記アップリンク許可によって示されたリソースの前記セットを使用して、前記第１のデータタイプの前記識別されたデータ、またはバッファステータスレポート（ＢＳＲ）、または両方を送信するための手段と
を備える、装置。
［Ｃ３７］
前記第２のデータタイプの制御チャネルに関連付けられたＴＴＩを使用して、前記スケジューリング要求を送信するための手段
をさらに備える、Ｃ３６に記載の装置。
［Ｃ３８］
前記スケジューリング要求は、前記第１のデータタイプに関連付けられた短縮されたＴＴＩ（ｓＴＴＩ）を示す、
Ｃ３７に記載の装置。
［Ｃ３９］
前記制御チャネルは、物理アップリンク制御チャネル（ＰＵＣＣＨ）を備える、
Ｃ３７に記載の装置。
［Ｃ４０］
短縮されたＴＴＩ（ｓＴＴＩ）上の制御チャネルを使用して、前記スケジューリング要求を送信するための手段
をさらに備える、Ｃ３６に記載の装置。
［Ｃ４１］
前記制御チャネルは、短縮された物理アップリンク制御チャネル（ｓＰＵＣＣＨ）を備える、Ｃ４０に記載の装置。
［Ｃ４２］
前記第１のデータタイプの前記識別されたデータに対応するデータサイズを決定するための手段、ここにおいて、前記スケジューリング要求は、前記決定されたデータサイズとバッファ閾値との間の比較に少なくとも部分的に基づく、
をさらに備える、Ｃ３６に記載の装置。
［Ｃ４３］
基地局から、前記基地局によって構成された前記バッファ閾値のインジケーションを受信するための手段を
さらに備える、Ｃ４２に記載の装置。
［Ｃ４４］
前記第１のデータタイプの前記識別されたデータに対応するデータサイズを決定するための手段、ここにおいて、前記第１のデータタイプの前記識別されたデータ、または前記ＢＳＲ、または両方を送信することは、前記決定されたデータサイズとアップリンク許可サイズとの間の比較に少なくとも部分的に基づく、
をさらに備える、Ｃ３６に記載の装置。
［Ｃ４５］
前記アップリンク許可によって示されたリソースの前記セットを使用して、前記第１のデータタイプまたは前記第２のデータタイプの追加のデータの識別に少なくとも部分的に基づいてバッファステータスレポートを送信するための手段
をさらに備える、Ｃ３６に記載の装置。
［Ｃ４６］
前記アップリンク許可によって示されたリソースの前記セットを使用して、前記第１のデータタイプまたは前記第２のデータタイプの追加のデータを送信するための手段
をさらに備える、Ｃ３６に記載の装置。
［Ｃ４７］
前記第１のデータタイプの前記識別されたデータと、前記第１のデータタイプまたは前記第２のデータタイプの追加のデータに対応するバッファステータスレポートとを優先順位付けするための手段、ここにおいて、前記第１のデータタイプの前記識別されたデータと、前記第１のデータタイプまたは前記第２のデータタイプの前記追加のデータとは、前記優先順位付けに少なくとも部分的に基づいて、前記アップリンク許可によって示されたリソースの前記セットを使用して送信される、
をさらに備える、Ｃ４６に記載の装置。
［Ｃ４８］
基地局から、前記第１のデータタイプ、前記第２のデータタイプ、または両方の通信のために構成された少なくとも１つの無線ベアラを示す無線ベアラ構成を受信するための手段
をさらに備える、Ｃ３６に記載の装置。
［Ｃ４９］
前記第１のデータタイプに関連付けられた前記リソースは、短縮された物理アップリンク共有チャネル（ｓＰＵＳＣＨ）リソースを備える、
Ｃ３６に記載の装置。
［Ｃ５０］
前記第１のデータタイプに関連付けられた前記リソースは、短縮された物理アップリンク制御チャネル（ｓＰＵＣＣＨ）リソースを備える、
Ｃ３６に記載の装置。
［Ｃ５１］
前記第１のデータタイプは、低レイテンシ通信に関連付けられる、
Ｃ３６に記載の装置。
［Ｃ５２］
前記装置は、前記アップリンク許可を受信するための手段を備える受信機を備える、Ｃ３６に記載の装置。
［Ｃ５３］
前記装置は、前記スケジューリング要求を送信するための手段と、前記第１のデータタイプの前記識別されたデータ、またはバッファステータスレポート（ＢＳＲ）、または両方を送信するための手段とを備える送信機を備える、Ｃ３６に記載の装置。
［Ｃ５４］
システムにおけるワイヤレス通信のための装置であって、
ユーザ機器（ＵＥ）から、第１のデータタイプに関連付けられたリソースの許可のためのスケジューリング要求を受信するための手段と、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定するための手段と、
前記ＵＥに、リソースの前記決定されたセットを示すアップリンク許可を送信するための手段と
を備える、装置。
［Ｃ５５］
前記ＵＥから、リソースの前記決定されたセットを介して前記第１のデータタイプのデータを受信するための手段
をさらに備える、Ｃ５４に記載の装置。
［Ｃ５６］
リソースの前記決定されたセットを介して、前記第１のデータタイプまたは前記第２のデータタイプの追加のデータのためのバッファステータスレポートを受信するための手段  をさらに備える、Ｃ５５に記載の装置。
［Ｃ５７］
前記第２のデータタイプの制御チャネルに関連付けられたＴＴＩを介して、前記スケジューリング要求を受信するための手段
をさらに備える、Ｃ５４に記載の装置。
［Ｃ５８］
前記スケジューリング要求は、前記第１のデータタイプに関連付けられた短縮されたＴＴＩ（ｓＴＴＩ）を示す、
Ｃ５７に記載の装置。
［Ｃ５９］
前記制御チャネルは、物理アップリンク制御チャネル（ＰＵＣＣＨ）を備える、
Ｃ５７に記載の装置。
［Ｃ６０］
短縮されたＴＴＩ（ｓＴＴＩ）上の制御チャネルを介して、前記スケジューリング要求を受信するための手段
をさらに備える、Ｃ５４に記載の装置。
［Ｃ６１］
前記制御チャネルは、短縮された物理アップリンク制御チャネル（ｓＰＵＣＣＨ）を備える、
Ｃ６０に記載の装置。
［Ｃ６２］
前記ＵＥと基地局との両方に知られているバッファ閾値に少なくとも部分的に基づいて、アップリンク許可サイズを決定するための手段、ここにおいて、前記アップリンク許可は、前記アップリンク許可サイズを示す、
をさらに備える、Ｃ５４に記載の装置。
［Ｃ６３］
前記アップリンク許可サイズは、前記アップリンク許可に含まれるビット数を示す、  Ｃ６２に記載の装置。
［Ｃ６４］
前記ＵＥに、バッファ閾値のインジケーションを送信するための手段、ここにおいて、前記スケジューリング要求は、前記バッファ閾値に少なくとも部分的に基づく、
をさらに備える、Ｃ５４に記載の装置。
［Ｃ６５］
前記ＵＥに、前記第１のデータタイプ、前記第２のデータタイプ、または両方の通信のために構成された少なくとも１つの無線ベアラを示す無線ベアラ構成を送信するための手段
をさらに備える、Ｃ５４に記載の装置。
［Ｃ６６］
リソースの前記決定されたセットは、短縮された物理アップリンク共有チャネル（ｓＰＵＳＣＨ）リソースを備える、
Ｃ５４に記載の装置。
［Ｃ６７］
リソースの前記決定されたセットは、短縮された物理アップリンク制御チャネル（ｓＰＵＣＣＨ）リソースを備える、
Ｃ５４に記載の装置。
［Ｃ６８］
前記第１のデータタイプは、低レイテンシ通信に関連付けられる、
Ｃ５４に記載の装置。
［Ｃ６９］
前記装置は、前記スケジューリング要求を受信するための手段を備える受信機を備える、Ｃ５４に記載の装置。
［Ｃ７０］
前記装置は、前記アップリンク許可を送信するための手段を備える送信機を備える、Ｃ５４に記載の装置。
［Ｃ７１］
ワイヤレス通信のためのコードを記憶する非一時的コンピュータ可読媒体であって、前記コードは、
第１のデータタイプのデータを識別することと、
前記第１のデータタイプに関連付けられたリソースの許可のためのスケジューリング要求を送信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを示すアップリンク許可を受信することと、
前記アップリンク許可によって示されたリソースの前記セットを使用して、前記第１のデータタイプの前記識別されたデータ、またはバッファステータスレポート（ＢＳＲ）、または両方を送信することと
を行うようにプロセッサによって実行可能な命令を備える、非一時的コンピュータ可読媒体。
［Ｃ７２］
ワイヤレス通信のためのコードを記憶する非一時的コンピュータ可読媒体であって、前記コードは、
ユーザ機器（ＵＥ）から、第１のデータタイプに関連付けられたリソースの許可のためのスケジューリング要求を受信することと、ここにおいて、前記第１のデータタイプに関連付けられた前記リソースと第２のデータタイプに関連付けられたリソースとは、異なる持続期間の送信時間間隔（ＴＴＩ）を有する、
前記スケジューリング要求に応答して、前記第１のデータタイプに関連付けられたリソースのセットを決定することと、
前記ＵＥに、リソースの前記決定されたセットを示すアップリンク許可を送信することと
を行うようにプロセッサによって実行可能な命令を備える、非一時的コンピュータ可読媒体。